【手続補正書】
【提出日】平成16年5月27日(2004.5.27)
【手続補正１】
【補正対象書類名】明細書
【補正対象項目名】発明の名称
【補正方法】変更
【補正の内容】
【発明の名称】チケット処理システムおよびプログラム
【手続補正２】
【補正対象書類名】明細書
【補正対象項目名】特許請求の範囲
【補正方法】変更
【補正の内容】
【特許請求の範囲】
【請求項１】
ネットワークを介してチケットを処理するチケット処理システムであって、
ユーザ毎に、その本人認証情報を記憶管理する認証情報記憶手段と、
チケットを発行する場合に、前記認証情報記憶手段からユーザの本人認証情報を取得する取得手段と、
前記取得手段によって取得された本人認証情報を記録してチケットを発行するチケット発行手段と、
ユーザから提示されたチケットから本人認証情報を読取る読取手段と、
ユーザの本人認証情報を入力する入力手段と、
前記読取手段によって読取られた本人認証情報と前記入力手段によって入力された本人認証情報とを照合した照合結果に基づいて正規なユーザかを認証するユーザ認証手段と、
を具備し、
前記ユーザ認証手段によって正規なユーザであることが判別された場合に、そのユーザの入場を許可するようにしたことを特徴とするチケット処理システム。
【請求項２】
ネットワークを介してチケットを処理するチケット処理システムであって、
予約されたチケット情報を記憶管理する予約チケット記憶手段と、
チケットを発行する場合に、前記予約チケット記憶手段からユーザのチケット情報を取得すると共に、そのユーザから入力された本人認証情報を取得する取得手段と、
前記取得手段によって取得されたチケット情報および本人認証情報を記録してチケットを発行するチケット発行手段と、
ユーザから提示されたチケットからチケット情報および本人認証情報を読取る読取手段と、
ユーザの本人認証情報を入力する入力手段と、
前記読取手段によって読取られたチケット情報と前記予約チケット記憶手段の内容とを照合した照合結果と、前記読取られた本人認証情報と前記入力手段によって入力された本人認証情報とを照合した照合結果とに基づいて正規なユーザかを認証するユーザ認証手段と、
を具備し、
前記ユーザ認証手段によって正規なユーザであることが判別された場合に、そのユーザの入場を許可するようにしたことを特徴とするチケット処理システム。
【請求項３】
チケットを発行するチケット発行装置と、ユーザから提示されたチケットが正規なチケットかを認証するチケット認証装置とを備えたチケット処理システムであって、
前記チケット発行装置は、チケットを発行する場合に、ユーザの本人認証情報を入力する入力手段と、この入力手段によって入力された本人認証情報をチケットに記録してチケットを発行するチケット発行手段とを具備し、
前記チケット認証装置は、ユーザからチケットが提示された場合に、そのチケットから本人認証情報を読取る読取手段と、ユーザの本人認証情報を入力する入力手段と、前記読取手段によって読取られた本人認証情報と前記入力手段によって入力された本人認証情報とを照合した照合結果に基づいて正規なユーザかを認証するユーザ認証手段とを具備し、前記ユーザ認証手段によって正規なユーザであることが判別された場合に、そのユーザの入場を許可する、
ようにしたことを特徴とするチケット処理システム。
【請求項４】
コンピュータに、
チケットを発行する場合に、ユーザ毎にその本人認証情報を記憶管理する認証情報記憶手段からユーザの本人認証情報を取得する機能と、
取得した本人認証情報を記録したチケットを発行する機能と、
ユーザから提示されたチケットから本人認証情報を読取る機能と、
ユーザの本人認証情報を入力する機能と、
前記読取られた本人認証情報と前記入力されたユーザの本人認証情報とを照合した照合結果に基づいて正規なユーザかを認証する機能と、
を実現させるためのプログラム。
【請求項５】
コンピュータに、
チケットを発行する場合に、予約されたチケット情報を記憶管理する予約チケット記憶手段からユーザのチケット情報を取得すると共に、そのユーザから入力された本人認証情報を取得する機能と、
取得されたチケット情報および本人認証情報を記録したチケットを発行する機能と、ユーザから提示されたチケットからチケット情報および本人認証情報を読取る機能と、
ユーザの本人認証情報を入力する機能と、
前記読取られたチケット情報と前記予約チケット記憶手段の内容とを照合した照合結果と、前記読取られた本人認証情報と前記入力されたユーザの本人認証情報とを照合した照合結果に基づいて正規なユーザかを認証する機能と、
を実現させるためのプログラム。
【請求項６】
コンピュータに、
チケットを発行する場合に、入力されたユーザの本人認証情報を記録したチケットを発行する機能と、
ユーザから提示されたチケットから本人認証情報を読取る機能と、
ユーザの本人認証情報を入力する機能と、
前記読取った本人認証情報と前記入力されたユーザの本人認証情報とを照合した照合結果に基づいて正規なユーザかを認証する機能と、
を実現させるためのプログラム。
【手続補正３】
【補正対象書類名】明細書
【補正対象項目名】０００１
【補正方法】変更
【補正の内容】
【０００１】
【発明の属する技術分野】
この発明は、チケットを発行すると共に、チケットを提示したユーザが正規なユーザかを認証するチケット処理システムおよびプログラムに関する。
【手続補正４】
【補正対象書類名】明細書
【補正対象項目名】０００４
【補正方法】変更
【補正の内容】
【０００４】
【課題を解決するための手段】
この発明の手段は、次の通りである。
請求項第１記載の発明（第１の発明）は、ネットワークを介してチケットを処理するチケット処理システムであって、ユーザ毎に、その本人認証情報を記憶管理する認証情報記憶手段と、チケットを発行する場合に、前記認証情報記憶手段からユーザの本人認証情報を取得する取得手段と、前記取得手段によって取得された本人認証情報を記録してチケットを発行するチケット発行手段と、ユーザから提示されたチケットから本人認証情報を読取る読取手段と、ユーザの本人認証情報を入力する入力手段と、前記読取手段によって読取られた本人認証情報と前記入力手段によって入力された本人認証情報とを照合した照合結果に基づいて正規なユーザかを認証するユーザ認証手段と、を具備し、前記ユーザ認証手段によって正規なユーザであることが判別された場合に、そのユーザの入場を許可するようにしたことを特徴とする。
【手続補正５】
【補正対象書類名】明細書
【補正対象項目名】０００６
【補正方法】変更
【補正の内容】
【０００６】
更に、コンピュータに、上述した請求項１記載の発明に示した主要機能を実現させるためのプログラムを提供するものである（請求項４記載の発明）。
【手続補正６】
【補正対象書類名】明細書
【補正対象項目名】０００７
【補正方法】変更
【補正の内容】
【０００７】
請求項第２記載の発明（第２の発明）は、ネットワークを介してチケットを処理するチケット処理システムであって、予約されたチケット情報を記憶管理する予約チケット記憶手段と、チケットを発行する場合に、前記予約チケット記憶手段からユーザのチケット情報を取得すると共に、そのユーザから入力された本人認証情報を取得する取得手段と、前記取得手段によって取得されたチケット情報および本人認証情報を記録してチケットを発行するチケット発行手段と、ユーザから提示されたチケットからチケット情報および本人認証情報を読取る読取手段と、ユーザの本人認証情報を入力する入力手段と、前記読取手段によって読取られたチケット情報と前記予約チケット記憶手段の内容とを照合した照合結果と、前記読取られた本人認証情報と前記入力手段によって入力された本人認証情報とを照合した照合結果とに基づいて正規なユーザかを認証するユーザ認証手段と、を具備し、前記ユーザ認証手段によって正規なユーザであることが判別された場合に、そのユーザの入場を許可するようにしたことを特徴とする。
【手続補正７】
【補正対象書類名】明細書
【補正対象項目名】０００９
【補正方法】変更
【補正の内容】
【０００９】
更に、コンピュータに、上述した請求項２記載の発明に示した主要機能を実現させるためのプログラムを提供するものである（請求項５記載の発明）。
【手続補正８】
【補正対象書類名】明細書
【補正対象項目名】００１０
【補正方法】変更
【補正の内容】
【００１０】
請求項第３記載の発明（第３の発明）は、チケットを発行するチケット発行装置と、ユーザから提示されたチケットが正規なチケットかを認証するチケット認証装置とを備えたチケット処理システムであって、前記チケット発行装置は、チケットを発行する場合に、ユーザの本人認証情報を入力する入力手段と、この入力手段によって入力された本人認証情報をチケットに記録してチケットを発行するチケット発行手段とを具備し、前記チケット認証装置は、ユーザからチケットが提示された場合に、そのチケットから本人認証情報を読取る読取手段と、ユーザの本人認証情報を入力する入力手段と、前記読取手段によって読取られた本人認証情報と前記入力手段によって入力された本人認証情報とを照合した照合結果に基づいて正規なユーザかを認証するユーザ認証手段とを具備し、前記ユーザ認証手段によって正規なユーザであることが判別された場合に、そのユーザの入場を許可する、ようにしたことを特徴とする。
【手続補正９】
【補正対象書類名】明細書
【補正対象項目名】００１２
【補正方法】変更
【補正の内容】
【００１２】
更に、コンピュータに、上述した請求項３記載の発明に示した主要機能を実現させるためのプログラムを提供する（請求項６記載の発明）。